(57)【要約】【課題】フローメータにより提示されるガスの流量を容易に読み取り可能な自然発火試験装置を提供する。【解決手段】導入管、フローメータ３６および照明部３７が筐体部３１に収容される。導入管により試料が収容される本体部の内部空間にガスが導入される。フローメータ３６のテーパ管３６ａ内における浮き球３６ｂの高さにより導入管を流れるガスの流量が提示される。フローメータ３６を挟んで筐体部３１の正面３１Ａと対向するように配置された照明部３７からフローメータ３６に光が照射される。フローメータ３６は、筐体部３１の正面３１Ａを通して外部から視認可能である。【選択図】図４
2020201197.tif 000002
【特許請求の範囲】
【請求項１】
試料が自然発火に至る条件の評価に用いられる自然発火試験装置であって、
試料を収容する内部空間を有する本体部と、
前記本体部の前記内部空間にガスを導入する導入管と、
テーパ管および浮き球を含み、前記テーパ管内における前記浮き球の高さにより前記導入管を流れるガスの流量を提示するフローメータと、
流量提示面を有し、前記導入管を収容するともに前記流量提示面を通して前記フローメータを視認可能に当該フローメータを収容する筐体部と、
前記筐体部内において、前記フローメータを挟んで前記流量提示面と対向するように配置され、前記フローメータに光を照射可能に構成された照明部とを備える、自然発火試験装置。
【請求項２】
前記筐体部内において、前記導入管内にガスを流通させる開放状態と、前記導入管内のガスの流通を遮断する閉止状態とで切り替わる開閉弁をさらに備え、
前記照明部は、前記開閉弁が前記開放状態にあるときに発光し、前記開閉弁が前記閉止状態にあるときに発光を停止する、請求項１記載の自然発火試験装置。
【請求項３】
前記導入管は、複数種類のガスをそれぞれ供給可能に複数設けられ、
前記フローメータは、複数の導入管に対応してそれぞれ複数設けられ、
前記照明部は、複数のフローメータに対応してそれぞれ複数設けられる、請求項１記載の自然発火試験装置。
【請求項４】
前記筐体部内において、対応する導入管内にガスを流通させる開放状態と、対応する導入管内のガスの流通を遮断する閉止状態とで切り替わる複数の開閉弁をさらに備え、
各照明部は、対応する開閉弁が前記開放状態にあるときに発光し、対応する開閉弁が前記閉止状態にあるときに発光を停止する、請求項３記載の自然発火試験装置。
【請求項５】
前記筐体部内において、隣り合う各２つのフローメータの間に配置され、各照明部から当該照明部に対応しないフローメータへの光を遮る遮光部をさらに備える、請求項４記載の自然発火試験装置。
【請求項６】
前記複数の導入管は、
試料の酸化反応を抑制する反応抑制ガスを供給する第１の導入管と、
試料の酸化反応を促進する反応ガスを供給する第２の導入管と、
試料の酸化反応を停止させる反応停止ガスを供給する第３の導入管とを含む、請求項３〜５のいずれか一項に記載の自然発火試験装置。
【請求項７】
前記筐体部内において、前記導入管内のガスの流量を調整する調整弁をさらに備え、
前記調整弁は、ガスの流量を調整するために操作される調整操作部を有し、
前記調整操作部は、前記流量提示面から前記筐体部の外部に露出するように設けられる、請求項１〜６のいずれか一項に記載の自然発火試験装置。
【発明の詳細な説明】
【技術分野】
【０００１】
本発明は、自然発火試験装置に関する。
【背景技術】
【０００２】
自然発火試験装置は、試料が自然発火に至る温度または時間の条件を測定する装置である。例えば、特許文献１に記載された自然発火試験装置においては、測定対象の試料が装置本体の内部に収容され、装置本体の内部に不活性ガスが供給される。この状態で、試料温度が所定の設定温度に保持されるように装置本体の温度制御が開始される。これにより、試料温度が初期値から徐々に上昇し、設定温度に達すると安定する。
【０００３】
試料温度が安定した後、不活性ガスに代えて酸素ガスが装置本体の内部に供給される。この場合、試料が酸化することにより試料の温度が上昇し、試料の温度が未知の発火点に到達すると、試料が自然発火を始める。そこで、上記の試料温度が安定した時点から試料が自然発火を始める時点までの時間が測定される。
【先行技術文献】
【特許文献】
【０００４】
【特許文献１】特許第３６３２２９９号公報
【発明の概要】
【発明が解決しようとする課題】
【０００５】
自然発火試験装置には、ガスの流量調整および流量確認のためにフローメータが設けられることがある。なお、フローメータは、テーパ管および浮き球を含む。テーパ管内において、浮き球は供給されるガスの流量に対応する高さに位置する。テーパ管に刻まれた目盛と、浮き球の高さとの位置関係により供給されるガスの流量が提示される。
【０００６】
しかしながら、ガス用のフローメータにおいては、目盛の刻みが小さく、浮き球の径が小さいため、提示される流量を容易に読み取ることができないことがある。また、フローメータは装置本体の内部に据え付けられた状態で使用されることを前提に製造されていないため、フローメータが装置本体の内部に据え付けられると、流量を読み取ることはより困難になる。
【０００７】
本発明の目的は、フローメータにより提示されるガスの流量を容易に読み取り可能な自然発火試験装置を提供することである。
【課題を解決するための手段】
【０００８】
本発明の一局面に従う態様は、試料が自然発火に至る条件の評価に用いられる自然発火試験装置であって、試料を収容する内部空間を有する本体部と、前記本体部の前記内部空間にガスを導入する導入管と、テーパ管および浮き球を含み、前記テーパ管内における前記浮き球の高さにより前記導入管を流れるガスの流量を提示するフローメータと、流量提示面を有し、前記導入管を収容するともに前記流量提示面を通して前記フローメータを視認可能に当該フローメータを収容する筐体部と、前記筐体部内において、前記フローメータを挟んで前記流量提示面と対向するように配置され、前記フローメータに光を照射可能に構成された照明部とを備える、自然発火試験装置に関する。
【発明の効果】
【０００９】
本発明によれば、フローメータにより提示されるガスの流量が容易に読み取り可能となる。
【図面の簡単な説明】
【００１０】
【図１】本発明の一実施の形態に係る自然発火試験装置の模式的断面図である。
【図２】図１のガス供給部の模式的構成を示すブロック図である。
【図３】図２の筐体部内の構成を示す図である。
【図４】図２の筐体部の側面図である。
【発明を実施するための形態】
【００１１】
（１）自然発火試験装置の構成
以下、本発明の一実施の形態に係る自然発火試験装置について、図面を参照しながら説明する。図１は、本発明の一実施の形態に係る自然発火試験装置の模式的断面図である。図１に示すように、自然発火試験装置１００は、本体部１０、試料保持具２０、ガス供給部３０、エアバス温調部４０、整流部材５０、試料室温調部６０および制御部７０を備える。以下の説明では、重力が向う方向を下方とし、その反対方向を上方とする。
【００１２】
本体部１０は、例えば直方体形状を有する筐体であり、本実施の形態においてはステンレスにより形成される。本体部１０の側壁内には、断熱材１１が充填されている。本体部１０の内部には、外部から熱的に隔離された所定の温度範囲の環境を有するエアバス（恒温槽）１２が実現される。本例では、上記の温度範囲の上限は３００℃である。また、後述するように、本体部１０の内部における略中央部に測定対象の試料Ｓが配置される。以下、本体部１０の内部における試料Ｓの周囲の一定範囲の空間を試料室１３と呼ぶ。
【００１３】
試料保持具２０は、上下方向に延び、下端部において試料Ｓが収容された試料容器２１を保持する。試料容器２１は、例えばガラスにより形成され、ガス供給部３０により供給される種々のガスを取り入れるための開口を有する。試料保持具２０は、本体部１０の上面に形成された開口１４に挿通された状態で本体部１０の上面に固定される。これにより、試料保持具２０の下端部に保持された試料容器２１が本体部１０の内部における略中央部（試料室１３）に位置する。
【００１４】
ガス供給部３０は、本体部１０の下方に配置される筐体部３１を含み、試料容器２１に収納された試料Ｓに反応抑制ガス、反応ガスおよび反応停止ガスを選択的に供給する。筐体部３１内には、種々の配管および弁が収納される。ガス供給部３０の詳細については後述する。
【００１５】
反応抑制ガスは、不活性ガス（本例では窒素ガス）であり、試料Ｓの酸化反応を抑制する。反応ガスは、酸素濃度調整ガスまたは空気であり、試料Ｓの酸化反応を促進する。反応停止ガスは、不活性ガス（本例では窒素ガス）であり、試料Ｓの酸化反応を停止させる。試料Ｓに供給されたガスは、試料保持具２０に沿って上方に導かれ、本体部１０の開口１４を通過した後、試料保持具２０に形成されたガス排出口２２から排出される。
【００１６】
エアバス温調部４０は、ヒータ４１、温度センサ４２、ファン４３およびモータ４４を含む。ヒータ４１、温度センサ４２およびファン４３は、本体部１０内に配置される。モータ４４は、本体部１０の下方に配置される。モータ４４の回転軸４４ａは、本体部１０の下面に形成された開口１５を通してファン４３に接続される。ヒータ４１は、例えば電熱線であり、エアバス１２の温度を調整する。温度センサ４２は、例えば白金測温抵抗体であり、エアバス１２の温度を検出する。ファン４３は、回転することによりエアバス１２の雰囲気を撹拌する。モータ４４は、ファン４３を回転駆動する。
【００１７】
整流部材５０は、ステンレス等の熱容量が小さい材料により形成された有底円筒形状を有する部材である。整流部材５０は、試料室１３を取り囲む状態で本体部１０の下面に点接触により固定され、エアバス温調部４０により撹拌された雰囲気を上部から内部に取り入れる（図１の太い矢印を参照）。整流部材５０の底壁におけるファン４３の上方には、例えば直径４５ｍｍの開口が形成される。当該開口を通して、ファン４３の中央部分に空気が供給される。
【００１８】
試料室温調部６０は、ヒータ６１および温度センサ６２，６３を含む。ヒータ６１は、例えば電熱線であり、試料容器２１の周囲を取り囲むように巻回した状態で取り付けられる。本例では、ヒータ６１により取り囲まれた空間が試料室１３として区画される。温度センサ６２，６３は、例えばシース熱電対である。温度センサ６２は、試料容器２１の内部に設けられ、試料容器２１に収容された試料Ｓの温度を検出する。温度センサ６３は、試料室１３に設けられ、試料室１３の温度を検出する。
【００１９】
制御部７０は、ガス制御部７１、エアバス制御部７２、試料室制御部７３および測定部７４を含む。ガス制御部７１は、ガス供給部３０の開閉弁３４（後述する図２参照）を切り替えることにより、反応抑制ガス、反応ガスおよび反応停止ガスを選択的に供給するようにガス供給部３０を制御する。
【００２０】
エアバス制御部７２は、使用者から設定温度の入力を受け付ける。また、エアバス制御部７２は、温度センサ４２により検出されたエアバス１２の温度が上記の設定温度に一致するようにヒータ４１を制御する。試料室制御部７３は、温度センサ６３により検出された試料室１３の温度が温度センサ６２により検出された試料Ｓの温度に一致するようにヒータ６１を制御する。測定部７４は、試料Ｓが自然発火を始めるまでの時間を測定する。ガス制御部７１および測定部７４の詳細については後述する。
【００２１】
（２）ガス供給部
図２は、図１のガス供給部３０の模式的構成を示すブロック図である。図３は、図１のガス供給部３０の筐体部３１内の構成を示す図である。図４は、図１のガス供給部３０の筐体部３１の側面図である。図２に示すように、ガス供給部３０は、複数組（本例では３組）の導入部３２、導入管３３、開閉弁３４、調整弁３５、フローメータ３６および照明部３７を含む。また、ガス供給部３０は、合流管３８および供給管３９をさらに含む。
【００２２】
複数組の導入部３２、導入管３３、開閉弁３４、調整弁３５、フローメータ３６および照明部３７は、反応抑制ガス、反応ガスおよび反応停止ガスにそれぞれ対応する。なお、図３においては、反応停止ガスに対応する導入部３２、導入管３３、開閉弁３４、調整弁３５、フローメータ３６および照明部３７のみが図示されている。反応抑制ガスおよび反応ガスの各々に対応する導入部３２、導入管３３、開閉弁３４、調整弁３５、フローメータ３６および照明部３７は、紙面の奥方向に位置する。
【００２３】
各導入部３２は、筐体部３１の１つの側面（以下、背面３１Ｂと呼ぶ。）に取り付けられる（図３参照）。筐体部３１の外部において、各導入部３２には、ガスを供給する図示しないガス源からの配管またはホースを接続可能である。各導入部３２が対応するガスを供給するガス源に接続されることにより、各導入部３２に対応するガスが導入される。
【００２４】
筐体部３１の内部において、各導入部３２には、対応する導入管３３が接続される。各導入部３２に導入されたガスは、対応する導入管３３内を流れる。以下の説明では、各導入管３３においてガスが流れる方向を下流と呼び、その反対方向を上流と呼ぶ。なお、各導入管３３は、複数の配管が継がれることにより構成されてもよい。
【００２５】
各導入管３３には、対応する開閉弁３４、調整弁３５およびフローメータ３６が上流から下流に向かって介挿される。各開閉弁３４は、例えば電磁弁であり、図１のガス制御部７１による制御に基づいて開閉する。各開閉弁３４が開状態にあるときには、対応する導入管３３内でガスが流通する。各開閉弁３４が閉状態にあるときには、対応する導入管３３内のガスの流通が遮断される。
【００２６】
各調整弁３５は、例えば手動式のニードル弁であり、調整操作部３５ａを有する（図３参照）。各調整操作部３５ａは、筐体部３１の１つの側面（本例では背面３１Ｂとは反対の正面３１Ａ）から露出するように設けられる（図４参照）。使用者は、所望の調整弁３５の調整操作部３５ａを操作することにより、当該調整弁３５に対応する導入管３３内を流れるガスの流量を調整することができる。
【００２７】
各フローメータ３６は、筐体部３１の１つの側面から視認可能に筐体部３１内に設けられる。本例では、複数のフローメータ３６にそれぞれ対応する複数の窓部３１ａが筐体部３１の正面３１Ａに設けられる。各フローメータ３６は、筐体部３１の正面３１Ａから対応する窓部３１ａを通して視認可能に、かつ対応する調整操作部３５ａと上下方向に並ぶように設けられる（図４参照）。正面３１Ａが流量提示面の例である。
【００２８】
各フローメータ３６は、テーパ管３６ａおよび浮き球３６ｂを含む。各テーパ管３６ａは上下方向に延びる棒状の外形を有し、各テーパ管３６ａの内周部は円錐形状を有する。各テーパ管３６ａの内周部における上面の面積は、下面の面積よりも大きい。各テーパ管３６ａ内を下方から上方にガスが通過可能である。
【００２９】
各浮き球３６ｂは、対応するテーパ管３６ａ内に設けられる。各テーパ管３６ａ内をガスが通過しないときには、対応する浮き球３６ｂは当該テーパ管３６ａの下部に位置する。各テーパ管３６ａ内をガスが通過するときには、対応する浮き球３６ｂは、通過するガスの流量に対応する高さだけ上昇する。各テーパ管３６ａに刻まれた目盛と、対応する浮き球３６ｂの高さとの位置関係により、通過するガスの流量が提示される。
【００３０】
各照明部３７は、回路基板に複数の光源（例えば発光ダイオード）が実装された構成を有し、対応するフローメータ３６の背面に配置される。なお、フローメータ３６の背面とは、フローメータ３６における流量を提示する面（テーパ管３６ａの目盛を視認可能な面）とは反対の面を意味する。各照明部３７は、図１のガス制御部７１による制御に基づいて、対応する開閉弁３４が開状態にあるときに発光する。
【００３１】
この場合、フローメータ３６が明るくなるため、テーパ管３６ａの目盛の刻みおよび浮き球３６ｂの位置が明瞭に視認可能となる。これにより、目盛の刻みが小さく、浮き球３６ｂの径が小さい場合でも、使用者は、提示される流量を容易に読み取ることができる。また、各照明部３７は対応する開閉弁３４の開閉状態と連動して発光するので、明るくなっているフローメータ３６を認識することにより、供給されているガスの種類を容易に識別することができる。
【００３２】
なお、本実施の形態においては、保持部材１が筐体部３１内に設けられる（図４参照）。保持部材１は、例えばスポンジにより形成され、複数の窓部３１ａにそれぞれ重なる複数の肉抜き部２を有する。各フローメータ３６および対応する照明部３７は、保持部材１の対応する肉抜き部２内に配置される。保持部材１における隣り合う肉抜き部２間の部分は、遮光部３として用いられる。
【００３３】
この構成によれば、いずれかのフローメータ３６に対応する照明部３７が発光した場合でも、その光は遮光部３により遮光されるので、他のフローメータ３６には到達しない。したがって、複数のフローメータ３６を近接して配置した場合でも、各フローメータ３６が対応しない照明部３７により照らされることが防止される。そのため、使用者は、導入されているガスの種類をより確実に識別することができる。
【００３４】
合流管３８には、複数の導入管３３の下流端部が接続されるとともに、供給管３９の上流端部が接続される。また、供給管３９の下流端部は、本体部１０に接続される。供給管３９は、合流管３８を通して１以上の導入管３３から供給されたガスを本体部１０に供給する。
【００３５】
（３）自然発火試験装置の動作
図１を用いて自然発火試験装置１００の動作を説明する。まず、使用者は、測定対象の試料Ｓを試料容器２１に収納し、試料容器２１を試料保持具２０の下部に取り付ける。次に、使用者は、試料保持具２０を本体部１０の開口１４に挿通させた状態で、本体部１０の上面に固定する。これにより、試料容器２１が試料室１３に配置される。
【００３６】
続いて、使用者は、エアバス制御部７２を操作することにより設定温度を入力する。設定温度が入力されると、エアバス制御部７２は、エアバス１２の温度が設定温度に一致するようにヒータ４１を制御する。また、ファン４３は、回転することによりエアバス１２の雰囲気を撹拌する。さらに、ガス制御部７１は、反応抑制ガスを使用者により調整された流量で供給するようにガス供給部３０を制御する。この場合、試料Ｓの温度が初期値から徐々に上昇する。試料室制御部７３は、試料室１３の温度が試料Ｓの温度に追従するように試料室温調部６０を制御する。
【００３７】
試料Ｓの温度は、設定温度に達すると安定する。この時点で、測定部７４は時間の計測を開始する。また、ガス制御部７１は、反応抑制ガスに代えて反応ガスを使用者により調整された流量で供給するようにガス供給部３０を制御する。これにより、試料Ｓの酸化反応が促進され、試料Ｓの温度が上昇する。反応ガスの流量は、比較的小さく、例えば２ｍＬ／ｍｉｎ〜５ｍＬ／ｍｉｎである。試料室制御部７３は、試料室１３の温度が試料Ｓの温度に追従するように試料室温調部６０を制御する。
【００３８】
試料Ｓの温度が発火点に到達すると、試料Ｓの温度が急激に上昇する。この時点で、測定部７４は時間の測定を終了する。また、ガス制御部７１は、反応ガスに代えて反応停止ガスを使用者により調整された流量で供給するようにガス供給部３０を制御する。これにより、試料Ｓの酸化反応が停止し、自然発火が防止される。なお、反応停止ガスの流量は、反応抑制ガスの流量よりも大きい。測定部７４により測定された時間が、試料Ｓが自然発火に至る条件として評価される。
【００３９】
（４）効果
本実施の形態に係る自然発火試験装置１００においては、複数組の導入管３３、開閉弁３４、調整弁３５、フローメータ３６および照明部３７が筐体部３１に収容される。各導入管３３により試料Ｓが収容される本体部１０の内部空間にガスが導入される。各フローメータ３６のテーパ管３６ａ内における浮き球３６ｂの高さにより対応する導入管３３を流れるガスの流量が提示される。
【００４０】
複数のフローメータ３６を挟んで筐体部３１の正面３１Ａと対向するように複数の照明部３７がそれぞれ配置され、各照明部３７から対応するフローメータ３６に光が照射される。各フローメータ３６は、筐体部３１の正面３１Ａの対応する窓部３１ａを通して外部から視認可能である。
【００４１】
この構成によれば、各フローメータ３６が筐体部３１の正面３１Ａの反対側から明るく照らされるので、テーパ管３６ａの目盛の刻みが小さい場合、または浮き球３６ｂの径が小さい場合でも、使用者は目盛および浮き球３６ｂを明瞭に視認することができる。これにより、反応抑制ガス、反応ガスおよび反応停止ガスの各々の流量が容易に読み取り可能となる。
【００４２】
また、各照明部３７は、対応する開閉弁３４が開放状態にあるときに発光し、対応する開閉弁３４が閉止状態にあるときに発光を停止する。そのため、使用者は、明るく照らされているフローメータ３６を視認することにより、本体部１０の内部空間にどのガスが導入されているか容易に識別することができる。
【００４３】
さらに、複数の調整弁３５の調整操作部３５ａは、複数のフローメータ３６を視認可能な筐体部３１の正面３１Ａに設けられる。したがって、使用者は、各フローメータ３６により提示される流量を確認しながら対応する調整操作部３５ａを調整することにより、対応するガスの流量を所望の値に容易に調整することができる。
【００４４】
例えば、本例では反応ガスは高濃度の酸素ガスであるが、空気を反応ガスとして用いたい場合がある。この場合、使用者は、反応抑制ガス（窒素ガス）および反応ガス（酸素ガス）にそれぞれ対応する調整操作部３５ａを調整することにより、空気と同様の組成を有するガス（窒素ガス８０％および酸素ガス２０％）を生成することが可能である。なお、この場合には、反応抑制ガスおよび反応ガスにそれぞれ対応する２個の開閉弁３４が同時に開放状態になるので、これらの開閉弁３４にそれぞれ対応する２個の照明部３７が同時に発光する。
【００４５】
（５）他の実施の形態
（ａ）上記実施の形態において、測定部７４は、試料Ｓが自然発火に至る条件として、試料Ｓが自然発火を始めるまでの時間を測定するが、実施の形態はこれに限定されない。測定部７４は、試料Ｓが自然発火に至る条件として、試料Ｓが自然発火に至る温度を測定してもよい。
【００４６】
（ｂ）上記実施の形態において、ガス供給部３０は３組の導入部３２、導入管３３、開閉弁３４、調整弁３５、フローメータ３６および照明部３７を含むが、実施の形態はこれに限定されない。ガス供給部３０は、１組の導入部３２、導入管３３、開閉弁３４、調整弁３５、フローメータ３６および照明部３７を含んでもよい。この場合、ガス供給部３０は合流管３８を含まなくてもよく、共通の導入部３２、導入管３３、開閉弁３４、調整弁３５、フローメータ３６および供給管３９を通して反応抑制ガス、反応ガスまたは反応停止ガスが本体部１０の内部空間に供給されてもよい。
【００４７】
あるいは、ガス供給部３０は、２組の導入部３２、導入管３３、開閉弁３４、調整弁３５、フローメータ３６および照明部３７を含んでもよい。この場合、反応ガスが１組の導入部３２、導入管３３、開閉弁３４、調整弁３５およびフローメータ３６を通して供給され、反応抑制ガスまたは反応停止ガスが他の１組の導入部３２、導入管３３、開閉弁３４、調整弁３５およびフローメータ３６を通して供給されてもよい。
【００４８】
（ｃ）上記実施の形態において、照明部３７は開閉弁３４の開閉状態と連動して発光するが、実施の形態はこれに限定されない。照明部３７は常時発光してもよい。
【００４９】
（ｄ）上記実施の形態において、開閉弁３４と調整弁３５とが別個に導入管３３に介挿されるが、実施の形態はこれに限定されない。開閉弁３４と調整弁３５とが一体化された弁が導入管３３に介挿されてもよい。あるいは、開閉弁３４と調整弁３５との一方または両方が導入管３３に介挿されなくてもよい。
【００５０】
（ｅ）上記実施の形態において、隣り合う各２つのフローメータ３６の間に遮光部３が配置されるが、実施の形態はこれに限定されない。隣り合う各２つのフローメータ３６が十分に離間しており、各フローメータ３６が対応しない照明部３７により照らされることが防止されている場合には、隣り合う各２つのフローメータ３６の間に遮光部３が配置されなくてもよい。あるいは、照明部３７が開閉弁３４の開閉状態と連動して発光せずに常時発光する場合にも、隣り合う各２つのフローメータ３６の間に遮光部３が配置されなくてもよい。
【００５１】
（ｆ）上記実施の形態において、調整弁３５の調整操作部３５ａが筐体部３１の正面３１Ａに設けられるが、実施の形態はこれに限定されない。調整操作部３５ａは、筐体部３１の正面３１Ａとは異なる部分に設けられてもよい。あるいは、調整弁３５による流量の調整を遠隔操作することが可能な場合には、筐体部３１に調整操作部３５ａが設けられなくてもよい。
【００５２】
（６）態様
（第１項）一態様に係る自然発火試験装置は、
試料が自然発火に至る条件の評価に用いられる自然発火試験装置であって、
試料を収容する内部空間を有する本体部と、
前記本体部の前記内部空間にガスを導入する導入管と、
テーパ管および浮き球を含み、前記テーパ管内における前記浮き球の高さにより前記導入管を流れるガスの流量を提示するフローメータと、
流量提示面を有し、前記導入管を収容するともに前記流量提示面を通して前記フローメータを視認可能に当該フローメータを収容する筐体部と、
前記筐体部内において、前記フローメータを挟んで前記流量提示面と対向するように配置され、前記フローメータに光を照射可能に構成された照明部とを備えてもよい。
【００５３】
この自然発火試験装置においては、導入管、フローメータおよび照明部が筐体部に収容される。導入管により試料が収容される本体部の内部空間にガスが導入される。フローメータのテーパ管内における浮き球の高さにより導入管を流れるガスの流量が提示される。フローメータを挟んで流量提示面と対向するように配置された照明部からフローメータに光が照射される。フローメータは、筐体部の流量提示面を通して外部から視認可能である。
【００５４】
この構成によれば、フローメータが流量提示面の反対側から明るく照らされるので、テーパ管の目盛の刻みが小さい場合、または浮き球の径が小さい場合でも、使用者は目盛および浮き球を明瞭に視認することができる。これにより、フローメータにより提示されるガスの流量が容易に読み取り可能となる。
【００５５】
（第２項）第１項に記載の自然発火試験装置において、
前記筐体部内において、前記導入管内にガスを流通させる開放状態と、前記導入管内のガスの流通を遮断する閉止状態とで切り替わる開閉弁をさらに備え、
前記照明部は、前記開閉弁が前記開放状態にあるときに発光し、前記開閉弁が前記閉止状態にあるときに発光を停止してもよい。
【００５６】
この場合、使用者は、フローメータが明るく照らされているか否かを視認することにより、本体部の内部空間にガスが導入されているか否かを容易に識別することができる。
【００５７】
（第３項）第１項に記載の自然発火試験装置において、
前記導入管は、複数種類のガスをそれぞれ供給可能に複数設けられ、
前記フローメータは、複数の導入管に対応してそれぞれ複数設けられ、
前記照明部は、複数のフローメータに対応してそれぞれ複数設けられてもよい。
【００５８】
この場合、複数種類のガスの各々の流量が容易に読み取り可能となる。
【００５９】
（第４項）第３項に記載の自然発火試験装置において、
前記筐体部内において、対応する導入管内にガスを流通させる開放状態と、対応する導入管内のガスの流通を遮断する閉止状態とで切り替わる複数の開閉弁をさらに備え、
各照明部は、対応する開閉弁が前記開放状態にあるときに発光し、対応する開閉弁が前記閉止状態にあるときに発光を停止してもよい。
【００６０】
この場合、使用者は、明るく照らされているフローメータを視認することにより、本体部の内部空間に導入されているガスの種類を容易に識別することができる。
【００６１】
（第５項）第４項に記載の自然発火試験装置において、
前記筐体部内において、隣り合う各２つのフローメータの間に配置され、各照明部から当該照明部に対応しないフローメータへの光を遮る遮光部をさらに備えてもよい。
【００６２】
この構成によれば、複数のフローメータを近接して配置した場合でも、各フローメータが対応しない照明部により照らされることが防止される。そのため、使用者は、導入されているガスの種類をより確実に識別することができる。
【００６３】
（第６項）第３〜５のいずれか一項に記載の自然発火試験装置において、
前記複数の導入管は、
試料の酸化反応を抑制する反応抑制ガスを供給する第１の導入管と、
試料の酸化反応を促進する反応ガスを供給する第２の導入管と、
試料の酸化反応を停止させる反応停止ガスを供給する第３の導入管とを含んでもよい。
【００６４】
この場合、反応抑制ガス、反応ガスおよび反応停止ガスを用いて試料が自然発火に至る条件を容易に評価することができる。また、使用者は、反応抑制ガス、反応ガスおよび反応停止ガスの各々の流量を容易に認識することができる。
【００６５】
（第７項）第１〜６のいずれか一項に記載の自然発火試験装置において、
前記筐体部内において、前記導入管内のガスの流量を調整する調整弁をさらに備え、
前記調整弁は、ガスの流量を調整するために操作される調整操作部を有し、
前記調整操作部は、前記流量提示面から前記筐体部の外部に露出するように設けられてもよい。
【００６６】
この場合、調整操作部がフローメータを視認可能な流量提示面に設けられる。そのため、使用者は、フローメータにより提示される流量を確認しながら調整操作部を調整することにより、ガスの流量を所望の値に容易に調整することができる。
【符号の説明】
【００６７】
１…保持部材，２…肉抜き部，３…遮光部，１０…本体部，１１…断熱材，１２…エアバス，１３…試料室，１４，１５…開口，２０…試料保持具，２１…試料容器，２２…ガス排出口，３０…ガス供給部，３１…筐体部，３１Ａ…正面，３１Ｂ…背面，３１ａ…窓部，３２…導入部，３３…導入管，３４…開閉弁，３５…調整弁，３５ａ…調整操作部，３６…フローメータ，３６ａ…テーパ管，３６ｂ…浮き球，３７…照明部，３８…合流管，３９…供給管，４０…エアバス温調部，４１，６１…ヒータ，４２，６２，６３…温度センサ，４３…ファン，４４…モータ，４４ａ…回転軸，５０…整流部材，６０…試料室温調部，７０…制御部，７１…ガス制御部，７２…エアバス制御部，７３…試料室制御部，７４…測定部，１００…自然発火試験装置，Ｓ…試料
【図１】
2020201197.tif 000003
【図２】
2020201197.tif 000004
【図３】
2020201197.tif 000005
【図４】
2020201197.tif 000006